(57)【特許請求の範囲】
【請求項１】
（Ａ）成分として式（１）で示される金属イオン封鎖剤、
（Ｂ）成分として式（２）で示される珪酸アルカリ金属塩、
（Ｃ）成分として水、
を含有し、（Ａ）成分を１〜１５質量％（但し、７質量％以下を除く）、（Ｂ）成分を１〜１０質量％含有するとともに、（Ａ）成分と（Ｂ）成分の質量比が、（Ａ）／（Ｂ）＝１．１〜２であり、
更に、（Ｅ）成分としてアルカリ金属水酸化物を含有することを特徴とする医療器具用の自動洗浄機用液体洗浄剤組成物。
【化１】
0006734022.tif 000006
【化２】
0006734022.tif 000007
【請求項２】
（Ａ）成分の金属イオン封鎖剤が、メチルグリシン二酢酸またはその塩、ジヒドロキシエチルグリシンまたはその塩、Ｌ−グルタミン酸二酢酸またはその塩から選ばれた少なくとも１種である請求項１に記載の医療器具用の自動洗浄機用液体洗浄剤組成物。
【請求項３】
更に、（Ｄ）成分として１質量％未満のアニオン界面活性剤を含有するか、又はアニオン界面活性剤を含有しない請求項１又は２に記載の医療器具用の自動洗浄機用液体洗浄剤組成物。
【請求項４】
（Ｅ）成分のアルカリ金属水酸化物を、（Ｂ）成分の珪酸アルカリ金属塩に対し、質量比で（Ｂ）／（Ｅ）＝０．５〜２となる割合で含有する請求項１〜３のいずれかに記載の医療器具用の自動洗浄機用液体洗浄剤組成物。
【請求項５】
更に、（Ｆ）成分としてノニオン界面活性剤を含有する請求項１〜４のいずれかに記載の医療器具用の自動洗浄機用液体洗浄剤組成物。
【請求項６】
請求項１〜５のいずれかに記載の医療器具用の自動洗浄機用液体洗浄剤組成物を、０．０１質量％〜１．０質量％に希釈調製した洗浄液により医療用器具である被洗浄物を自動洗浄機で洗浄することを特徴とする洗浄方法。
【発明の詳細な説明】
【技術分野】
【０００１】
本発明は、自動食器洗浄機、医療器具用洗浄機等において用いられる自動洗浄機用液体洗浄剤組成物及びこの自動洗浄機用液体洗浄剤組成物を用いた洗浄方法に関する。
【背景技術】
【０００２】
近年、食器類の洗浄に自動食器洗浄機が広く利用されるようになっており、ホテル、レストラン、給食会社、病院、会社の食堂等においても、使用後の食器を効率よく洗浄するために、また近年の衛生意識の向上から業務用の自動食器洗浄機が広く用いられている。また病院で使用した血液等が付着した手術器具、検査器具も感染予防の観点から近年、自動洗浄機による洗浄が行われている。
【０００３】
特許文献１には、アルカリ金属塩、アミノカルボン酸系金属イオン封鎖剤、クエン酸やホスホン酸等の化合物、ポリカルボン酸系ポリマー等の各成分を特定の比率で配合した医療器具用洗浄剤組成物が開示されている。また特許文献２には界面活性剤を全く含まず、アミノカルボン酸塩と珪酸塩を特定の割合で含む自動洗浄機用液体洗浄剤組成物が開示されている。特許文献３にはアミノカルボン酸と珪酸塩を特定の割合で含む液体ビルダーを界面活性剤主体とする液体洗剤と併用することが記載されている。
【先行技術文献】
【特許文献】
【０００４】
【特許文献１】特開２００４−３４６１８５号公報
【特許文献２】特開２００３−１９３０９８号公報
【特許文献３】特開平８−２１８０９５号公報
【特許文献４】特許４６１５３５５号公報
【発明の概要】
【発明が解決しようとする課題】
【０００５】
特許文献１に記載されている洗浄剤組成物は、血液等の汚れに対する洗浄性には優れるが、アルミニウム等の軽金属に対する腐食防止性が不十分であり、食器洗浄に用いた場合、アルミニウム製の食器を腐食させる虞があった。また特許文献２に記載されている洗浄剤は、珪酸塩を含むため軽金属に対する腐食防止性は良好であるものの、珪酸塩が被洗浄物や洗浄機庫内にスケールとして付着残留し易いという問題がある。更に特許文献３に記載されている洗浄剤は、アミノカルボン酸系金属イオン封鎖剤を多量に含有するため、保存安定性、特に低温における保存安定性が十分ではなく、保存中に結晶が析出し易い等の問題があった。また特許文献４記載の技術は、洗浄液中の珪酸塩の分散性を向上させることで珪酸塩が析出するのを防止できるものの、洗浄後のすすぎが十分でない場合や、すすぎ水が直接当たり難い部分に二酸化珪素を含む珪酸化合物が析出し、残存し易いという問題があった。
【０００６】
本発明は上記従来技術の課題を解決するためになされたもので、特定の金属イオン封鎖剤と珪酸塩と界面活性剤を含み、金属イオン封鎖剤と珪酸塩とを特定の比率で配合した液体洗浄剤組成物が従来の液体洗浄剤の問題を解決できることを見出し本発明を完成するに至った。
【課題を解決するための手段】
【０００７】
即ち本発明は、
（１）（Ａ）成分として式（１）で示される金属イオン封鎖剤、（Ｂ）成分として式（２）で示される珪酸アルカリ金属塩、（Ｃ）成分として水、を含有し、（Ａ）成分を１〜１５質量％（但し、７質量％以下を除く）、（Ｂ）成分を１〜１０質量％含有するとともに、（Ａ）成分と（Ｂ）成分の質量比が、（Ａ）／（Ｂ）＝１．１〜２であり、
更に、（Ｅ）成分としてアルカリ金属水酸化物を含有することを特徴とする医療器具用の自動洗浄機用液体洗浄剤組成物、
【０００８】
【化１】
0006734022.tif 000002
【０００９】
【化２】
0006734022.tif 000003
【００１０】
（２）（Ａ）成分の金属イオン封鎖剤が、メチルグリシン二酢酸またはその塩、ジヒドロキシエチルグリシンまたはその塩、Ｌ−グルタミン酸二酢酸またはその塩から選ばれた少なくとも１種である上記（１）の医療器具用の自動洗浄機用液体洗浄剤組成物、
（３）更に、（Ｄ）成分として１質量％未満のアニオン界面活性剤を含有するか、又はアニオン界面活性剤を含有しない上記（１）又は（２）の医療器具用の自動洗浄機用液体洗浄剤組成物、
（４）（Ｅ）成分のアルカリ金属水酸化物を、（Ｂ）成分の珪酸アルカリ金属塩に対し、質量比で（Ｂ）／（Ｅ）＝０．５〜２となる割合で含有する上記（１）〜（３）のいずれかの医療器具用の自動洗浄機用液体洗浄剤組成物、
（５）更に、（Ｆ）成分としてノニオン界面活性剤を含有する上記（１）〜（４）のいずれかの医療器具用の自動洗浄機用液体洗浄剤組成物、
（６）上記（１）〜（５）のいずれかの医療器具用の自動洗浄機用液体洗浄剤組成物を、０．０１質量％〜１．０質量％に希釈調製した洗浄液により医療用器具である被洗浄物を自動洗浄機で洗浄することを特徴とする洗浄方法、
を要旨とするものである。
【発明の効果】
【００１１】
本発明の自動洗浄機用液体洗浄剤組成物は、洗浄性、除菌性に優れ、医療用器具類の洗浄に用いた場合の除菌性、血液等の汚れの洗浄性にも優れている。またアルミニウム等の軽金属に対する腐食防止性に優れるとともに、すすぎ性に優れ、被洗浄物や洗浄機庫内に二酸化珪素を含む珪酸化合物が付着残留する虞がなく、医療器具用としても食器用としても優れた除菌、洗浄性を有する。
【発明を実施するための形態】
【００１２】
本発明において、（Ａ）成分の金属イオン封鎖剤は、式（１）で示される化合物であり、式（１）におけるＸ、ＹはともにＣＯＯＭとなりうるが、式（１）におけるＸ、ＹがともにＣＯＯＭの場合、式（１）におけるＺは水素であることがなく、ＺがＣＨ３かＣＯＯＭのいずれかである化合物である。また式（１）におけるＺが水素の場合、Ｘ、ＹがともにＣＯＯＭであることがなく、Ｘ、ＹともにＣＯＯＭ以外の基（ＸはＣＨ２ＯＨ、ＹはＣＨ２ＣＯＯＭ、ＣＨ２ＣＨ２ＣＯＯＭ、ＣＨ２ＯＨの何れか）であるか、Ｘ、ＹのいずれかがＣＯＯＭで、他方がＣＯＯＭ以外の基である化合物である。式（１）で示される（Ａ）成分としては、例えばメチルグリシン二酢酸またはその塩（Ｘ＝ＣＯＯＭ、Ｙ＝ＣＯＯＭ、Ｚ＝ＣＨ３）、ヒドロキシエチルイミノ二酢酸またはその塩（Ｘ＝ＣＯＯＭ、Ｙ＝ＣＨ２ＯＨ、Ｚ＝Ｈ）、ジヒドロキシエチルグリシンまたはその塩（Ｘ＝ＣＨ２ＯＨ、Ｙ＝ＣＯＯＭ、Ｚ＝Ｈ）、Ｌ−グルタミン酸二酢酸またはその塩（Ｘ＝ＣＯＯＭ、Ｙ＝ＣＨ２ＣＨ２ＣＯＯＭ、Ｚ＝ＣＯＯＭ）等が挙げられる。これらのうち、メチルグリシン二酢酸またはその塩、ジヒドロキシエチルグリシンまたはその塩、Ｌ−グルタミン酸二酢酸またはその塩が好ましい。（Ａ）成分の金属イオン封鎖剤は、１種のみを用いる場合に限らず２種以上を併用して用いても良い。塩としてはナトリウム塩、カリウム塩等のアルカリ金属塩等が用いられるが、通常ナトリウム塩が好ましい。
【００１３】
本発明の自動洗浄機用液体洗浄剤組成物は、（Ａ）成分の金属イオン封鎖剤を１〜１５質量％含有するが、３〜１３質量％が好ましく、５〜１２質量％がより好ましい。（Ａ）成分の割合が１質量％未満では、使用水中の硬度成分によって洗浄不良が発生し、１５質量％を超えると低温時の保存安定性が低下する。
【００１４】
（Ｂ）成分の珪酸アルカリ金属塩としては、式（２）のｎが０．３〜５である化合物が用いられる。また、より好適なｎの値は１〜３である。軽金属腐食抑制性能の観点からｎは０．３以上であることが好ましく、珪酸由来のスケール発生防止の観点からｎは５以下であることが好ましい。（Ｂ）成分の珪酸アルカリ金属塩としては、例えば、オルソ珪酸カリウム、オルソ珪酸ナトリウム、セスキ珪酸ナトリウム、セスキ珪酸カリウム、メタ珪酸ナトリウム、メタ珪酸カリウムや、ＪＩＳ  Ｋ１４０８に規定されている１号珪酸ナトリウム、２号珪酸ナトリウム、３号珪酸ナトリウムや、日本化学工業社製の商品名：１Ｋ珪酸カリ、２Ｋ珪酸カリ、Ａ珪酸カリ（純分４０％）（モル比Ｋ２Ｏ：ＳｉＯ２＝１：３）等が挙げられる。本発明の自動洗浄機用液体洗浄剤組成物中の（Ｂ）成分の割合は、１〜１０質量％であるが、２〜９質量％が好ましく、３〜８質量％がより好ましい。（Ｂ）成分の割合が１質量％未満では、洗浄力の低下や軽金属の腐食抑制性能の低下が発生し、１０質量％を超えると珪酸由来のスケールが生じやすくなる。
【００１５】
（Ｃ）成分の水としては、特に限定はなく、イオン交換水、軟水、純水、水道水などが挙げられるが、イオン交換水又は純水が好ましい。水道水としては、例えば、東京都荒川区の水道水（ｐＨ＝７．６、総アルカリ度（炭酸カルシウム換算として）４０．５ｍｇ／Ｌ、ドイツ硬度８．１°ＤＨ（そのうち、カルシウム硬度６．３°ＤＨ、マグネシウム硬度２．１°ＤＨ）、塩化物イオン２１．９ｍｇ／Ｌ、ナトリウム及びその化合物１３ｍｇ／Ｌ、硝酸態窒素及び亜硝酸態窒素１．１ｍｇ／Ｌ、フッ素及びその化合物０．０９ｍｇ／Ｌ、ホウ素及びその化合物０．０４ｍｇ／Ｌ、総トリハロメタン０．０１４ｍｇ／Ｌ、残留塩素０．４ｍｇ／Ｌ、有機物（全有機炭素量）０．５ｍｇ／Ｌ）が挙げられる。
【００１６】
本発明の自動洗浄機用液体洗浄剤組成物は、上記（Ａ）成分と（Ｂ）成分とを質量比で、（Ａ）／（Ｂ）＝１〜１５となるように含有する。（Ａ）／（Ｂ）が１未満であると、洗浄器庫内及び被洗物に付着する珪酸化合物の析出を抑制することができなくなり、１５を超えると洗浄器庫内及び被洗物に付着する珪酸化合物の析出を抑制することができなくなる。（Ａ）成分と（Ｂ）成分の質量比は、（Ａ）／（Ｂ）＝１．０５〜９であることが好ましく、１．１〜７であることがより好ましい。
【００１７】
本発明の自動洗浄機用液体洗浄剤組成物は、更に（Ｄ）成分としてアニオン界面活性剤を配合することができる。（Ｄ）成分のアニオン界面活性剤としては、高級脂肪酸塩、高級アルコール硫酸エステル塩、硫化オレフィン塩、高級アルキルスルホン酸塩、α−オレフィンスルホン酸塩、硫酸化脂肪酸塩、スルホン化脂肪酸塩、リン酸エステル塩、脂肪酸エステルの硫酸エステル塩、グリセライド硫酸エステル塩、脂肪酸エステルのスルホン酸塩、α−スルホ脂肪酸メチルエステル塩、ポリオキシアルキレンアルキルエーテル硫酸エステル塩、ポリオキシアルキレンアルキルフェニルエーテル硫酸エステル塩、ポリオキシアルキレンアルキルエーテルカルボン酸塩、アシル化ペプチド、脂肪酸アルカノールアミド又はそのアルキレンオキシド付加物の硫酸エステル塩、スルホコハク酸エステル、アルキルベンゼンスルホン酸塩、アルキルナフタレンスルホン酸塩、アルキルベンゾイミダゾールスルホン酸塩、ポリオキシアルキレンスルホコハク酸塩、Ｎ−アシル−Ｎ−メチルタウリンの塩、Ｎ−アシルグルタミン酸又はその塩、アシルオキシエタンスルホン酸塩、アルコキシエタンスルホン酸塩、Ｎ−アシル−β−アラニン又はその塩、Ｎ−アシル−Ｎ−カルボキシエチルタウリン又はその塩、Ｎ−アシル−Ｎ−カルボキシメチルグリシン又はその塩、アシル乳酸塩、Ｎ−アシルサルコシン塩、及びアルキル又はアルケニルアミノカルボキシメチル硫酸塩、高級アルキルアミンの低級脂肪酸塩等が挙げられる。アニオン界面活性剤としては酸型、塩型のいずれも用いることができ、塩型としてはナトリウム塩、カリウム塩等のアルカリ金属塩等を用いることができるが、通常はナトリウム塩が用いられる。（Ｄ）成分を配合する場合、洗浄剤組成物中の（Ｄ）成分の割合が１質量％未満となるように配合することが好ましく、０．２質量％がより好ましく、含有しないことが最も好ましい。洗浄剤組成物が１質量％を超える割合で（Ｄ）成分を配合した場合、泡立ちが大きくなってしまう虞があり、洗浄機の運転に支障が出る場合があり、洗浄性が低下する虞がある。
【００１８】
本発明の自動洗浄機用液体洗浄剤組成物は、更に（Ｅ）成分としてアルカリ金属水酸化物を配合することができる。アルカリ金属水酸化物としては水酸化ナトリウム、水酸化カリウム、炭酸ナトリウム、炭酸カリウム等が挙げられるが、水酸化ナトリウム、水酸化カリウムが好ましい。（Ｅ）成分のアルカリ金属水酸化物を配合する場合、自動洗浄機用液体洗浄剤組成物中に０．５〜２０質量％含有することが好ましく、２〜１５質量％が好ましく、３〜１２質量％がより好ましい。（Ｅ）成分の割合が０．５質量％未満では、洗浄性が低下する場合があり、２０質量％を超えると血液汚れの洗浄性が低下する場合がある。本発明の自動洗浄機用液体洗浄剤組成物の（Ｅ）成分は、（Ｂ）成分の珪酸アルカリ金属塩に対し、質量比で（Ｂ）／（Ｅ）＝０．５〜２となる割合で配合することが好ましく、０．８〜１．９となる割合で配合することがより好ましい。（Ｂ）／（Ｅ）が０．５未満となる割合で（Ｅ）成分を配合した場合、軽金属の腐食抑制効果が低減する虞があり、２を超える割合で（Ｅ）成分を配合した場合、洗浄力が十分でなくなる虞がある。
【００１９】
本発明の自動洗浄機用液体洗浄剤組成物は、更に（Ｆ）成分としてノニオン界面活性剤を配合することができる。ノニオン界面活性剤としては、例えば、ポリオキシエチレンアルキルエーテル、ポリオキシエチレンアルケニルエーテル、ポリオキシエチレンポリオキシプロピレンアルキルエーテル（エチレンオキシドとプロピレンオキシドはランダム、ブロック何れでもよい。）、ポリオキシエチレンポリオキシプロピレンアルケニルエーテル（エチレンオキシドとプロピレンオキシドはランダム、ブロック何れでもよい。）、ポリオキシエチレンジアルキルエーテル、ポリオキシアルキレンアルキルフェニルエーテル、プルロニック型ブロックポリマー、テトロニック型ブロックポリマー、リバースプルロニック型ブロックポリマー、リバーステトロニック型ブロックポリマー、ポリエチレングリコールプロピレンオキシド付加物、ポリプロピレングリコールエチレンオキシド付加物、グリセリン脂肪酸エステル又はそのエチレンオキシド付加物、ソルビタン脂肪酸エステル、ポリオキシエチレンソルビタン脂肪酸エステル、アルキルポリグルコシド、脂肪酸モノエタノールアミド又はそのエチレンオキシド付加物、脂肪酸モノエタノールアミド又はそのエチレンオキシドプロピレンオキシド付加物、脂肪酸−Ｎ−メチルモノエタノールアミド又はそのエチレンオキシド付加物、脂肪酸ジエタノールアミド又はそのエチレンオキシド付加物、ショ糖脂肪酸エステル、アルキル（ポリ）グリセリンエーテル、ポリグリセリン脂肪酸エステル、ポリエチレングリコール脂肪酸エステル、脂肪酸メチルエステルエトキシレート、Ｎ−長鎖アルキルジメチルアミンオキシド等が挙げられる。上記ノニオン界面活性剤のなかでも、特に、ポリオキシエチレンポリオキシプロピレンアルキルエーテルが好ましい。
【００２０】
本発明の自動洗浄機用液体洗浄剤組成物には、本発明の効果を損なわない範囲で、必要に応じ当該技術分野で通常使用される他の成分を含有していても良い。このような成分としては、高分子分散剤、消泡剤、増粘剤、有機溶媒、塩素系漂白剤、酸素系漂白剤、色素、殺菌剤等が挙げられる。
【００２１】
本発明の自動洗浄機用液体洗浄剤組成物は、種々の自動洗浄機用洗浄剤として用いることができるが、ホテル、レストラン、学校、病院、飲食店、給食会社、会社の食堂等における食器、食缶用の洗浄機、病院等における手術具、検査具等の医療器具用の洗浄機用として特に好適に用いられる。洗浄に際し、（Ａ）成分、（Ｂ）成分及び（Ｃ）成分を含む自動洗浄機用液体洗浄剤組成物あるいは、（Ａ）成分、（Ｂ）成分、（Ｃ）成分及び、（Ｄ）成分及び／又は（Ｅ）成分を含む自動洗浄機用液体洗浄剤組成物、更にはこれらの自動洗浄機用液体洗浄剤組成物に、必要に応じて更に高分子分散剤、消泡剤、増粘剤、有機溶媒、塩素系漂白剤、酸素系漂白剤、色素、殺菌剤等のその他の成分を含む自動洗浄機用液体洗浄剤組成物を、０．０１質量％〜１．０質量％に希釈調製（１００〜１００００倍希釈）。好ましくは０．０５質量％〜０．５質量％に希釈調製（５００〜５０００倍希釈）した洗浄液が用いられる。希釈に用いる水としては、イオン交換水、軟水、純水、水道水などが用いられるが、イオン交換水、水道水が好ましい。
【００２２】
食器、食缶の洗浄は、通常、本発明の自動洗浄機用液体洗浄剤組成物を０．０１質量％〜０．５質量％に希釈調製した洗浄液を用い、４０〜６０℃で１０秒〜１分洗浄した後、８０℃の水道水で数秒すすぐことで行われる。また医療用器具の洗浄は、２０〜４０℃の水道水で１〜３分予備洗浄した後、本発明の自動洗浄機用液体洗浄剤組成物を０．０５質量％〜０．７質量％に希釈調製した洗浄液を用い、４０〜６０℃で５〜１０分洗浄後、８０〜１００℃で５〜２０分（好ましくは９３℃で１０分）加熱除菌を行い、更に常温で１分の水道水によるすすぎ、排水を３回繰り返し、更にＲＯ水やイオン交換水により７０〜７５℃で１〜２分の最終すすぎを行い、７０〜１１０℃でヒーター加熱乾燥することにより行われる。
【実施例】
【００２３】
以下、本発明を実施例と比較例により具体的に説明する。実施例、比較例において配合に用いた各成分を下記に示す。なお、アルキルの後の括弧内はアルキル基の炭素数を、ＥＯはエチレンオキシド、ＰＯはプロピレンオキシドの略であり、その後の数字はそれぞれＥＯ、ＰＯの平均付加モル数を表す。尚、表中における実施例および比較例の配合の数値は純分の質量％を表す。
【００２４】
（Ａ）成分
Ａ−１：メチルグリシン二酢酸ナトリウム塩（ＭＧＤＡ）
Ａ−２：ジヒドロキシエチルグリシンナトリウム塩（ＤＨＥＧ）
Ａ−３：ヒドロキシエチルイミノ二酢酸ナトリウム塩（ＨＩＤＡ）
Ａ−４：Ｌ−グルタミン酸二酢酸ナトリウム塩（ｇｌｄａ）
【００２５】
（Ａ′）成分：（Ａ）成分の比較成分
Ａ′−１：エチレンジアミン四酢酸ナトリウム塩（ＥＤＴＡ）
Ａ′−２：ニトリロ三酢酸ナトリウム塩（ＮＴＡ）
【００２６】
（Ｂ）成分
Ｂ−１：珪酸ナトリウム１（Ｎａ２Ｏ・０．５ＳｉＯ２）
Ｂ−２：珪酸ナトリウム２（Ｎａ２Ｏ・ＳｉＯ２）
Ｂ−３：珪酸ナトリウム３（Ｎａ２Ｏ・３ＳｉＯ２）
Ｂ−４：珪酸カリウム１（Ｋ２Ｏ・０．５ＳｉＯ２）
Ｂ−５：珪酸カリウム２（Ｋ２Ｏ・２ＳｉＯ２）
Ｂ−６：珪酸カリウム３（Ｋ２Ｏ・３．１ＳｉＯ２）
Ｂ−７：珪酸カリウム４（Ｋ２Ｏ・３．５ＳｉＯ２）
【００２７】
（Ｃ）成分
Ｃ−１：イオン交換水
【００２８】
（Ｄ）成分
Ｄ−１：アルキル（Ｃ１０〜１６）ベンゼンスルホン酸ナトリウム
Ｄ−２：ポリオキシエチレン（ＥＯ４モル）ラウリルエーテルリン酸ナトリウム
【００２９】
（Ｅ）成分
Ｅ−１：水酸化ナトリウム
Ｅ−２：水酸化カリウム
【００３０】
（Ｆ）成分
Ｆ−１：ポリオキシエチレンポリオキシプロピレンブロックポリマー  商品名：アデカプルロニックＬ−４４、ＡＤＥＫＡ社製
Ｆ−２：ポリオキシエチレンポリオキシプロピレンラウリルエーテル  商品名：アデカトールＬＢ−８３、ＡＤＥＫＡ社製
Ｆ−３：脂肪族アルコールアルコキシレート  商品名：プルラファックＬＦ４０３、ＢＡＳＦ社製
Ｆ−４：プルロニック型ノニオン界面活性剤  商品名：アデカプルロニック２５Ｒ−２、ＡＤＥＫＡ社製
【００３１】
実施例１〜１０、比較例１〜１６
表１〜２に示す配合に基づき自動洗浄機用液体洗浄剤組成物を調製した。各洗浄剤組成物を用い、自動食器洗浄機、医療器具用洗浄機により下記試験を行った。結果を表１〜２に示す。
【００３２】
食器用洗浄機を用いた洗浄性試験：
＜自動食器洗浄機＞
ＨＯＢＡＲＴ製自動食器洗浄機：ＡＭ−１４型
＜被洗浄物＞
直径２０ｃｍのガラス皿にマヨネーズ２ｇを均一に塗布し、室温で乾燥させた汚染皿を被洗浄物とした。
＜洗浄条件＞
液体洗浄剤組成物を０．２質量％に希釈した希釈洗浄液を洗浄機の洗浄液タンクに貯留して６６℃で保持し、食器洗浄機の洗浄機庫（ラック）に被洗浄物５枚を設置し、下記条件で洗浄、すすぎを行った。洗浄剤組成物の希釈水、すすぎ水は塩化カルシウムを用いて炭酸カルシウム換算で、５３．６ｍｇ／Ｌ[ドイツ硬度３°ＤＨ］の人工硬水を用いた。
洗浄温度：６６℃
洗浄時間：４１秒
すすぎ温度：８２℃
すすぎ時間：６秒
＜洗浄性評価＞
洗浄、すすぎ後の皿を室温で乾燥後、暗室において蛍光灯光を照射、反射させて汚れの残存状況を目視により評価した。
＜評価基準＞
◎：清浄な皿と比較して差がない。
○：うすい曇りのみが認められる。
△：スポットのみが認められる。
×：曇りとスポットが認められる。
とし、◎、○、△を実用性のあるものとして判定した。
【００３３】
医療器具用洗浄機を用いた洗浄性試験：
＜医療器具用洗浄機＞
ウオッシャーディスインフェクター：ＭＪ−７００  シャープマニファクチャリングシステム社製
＜被洗浄物＞
ステンレス板（１５×５０ｍｍ）に擬似血液（牛血精製物：アルブミン、ヘモグロビン、フィブリノーゲン、トロンビン）を付着させた洗浄度評価インジケーター〔Ｐｅｒｅｇ社製、商品名：ＴＯＳＩ〕
＜洗浄条件＞
被洗浄物を、医療器具用洗浄機（ウオッシャーディスインフェクター：ＭＪ−７００  シャープマニファクチャリングシステム社製）の洗浄槽内の最下段同位置に４５ °の角度で設置し、下記条件で洗浄した。
予備洗浄：４０℃で１分
本洗浄：４０℃で５分（液体洗浄剤組成物を０．４質量％に希釈した希釈洗浄液使用）
滅菌：９３℃で１０分
すすぎ：常温で１分×３回
すすぎ水：塩化カルシウムを用いて炭酸カルシウム換算で、５３．６ｍｇ／Ｌ[ドイツ硬度３°ＤＨ］の人工硬水を用いた。
最終すすぎ：７０℃で１分
最終すすぎ水：ＲＯ水
乾燥：１１０℃（ヒーター加熱）で２０分
＜洗浄性評価＞
乾燥工程後の被洗浄物の重量を測定し、洗浄前後の重量から以下の式により洗浄率を算出し、下記評価基準にて洗浄性を評価した。
洗浄率（％）＝１００−［（ＷＴ１−ＷＳ）／（ ＷＴ０−ＷＳ）×１００］
ＷＴ０： 洗浄前の被洗浄物の重量（ｇ）、
ＷＴ１： 洗浄後の被洗浄物の重量（ｇ）、
ＷＳ  ：ステンレス板の重量（ｇ）
＜評価基準＞
◎：洗浄率７５〜１００％
○：洗浄率５０〜７４％
△：洗浄率２５〜４９％
×：洗浄率０〜２４％
とし、◎、○、△を実用性のあるものとして判定した。
【００３４】
珪酸化合物の析出抑制性試験：
＜評価方法＞
ステンレスパネルに塩化カルシウムを用いて炭酸カルシウム換算で、１７８．５ｍｇ／Ｌ[ドイツ硬度１０°ＤＨ］に調製した人工硬水で、液体洗浄剤組成物を０．３質量％に希釈した希釈洗浄液５００μｌを滴下し、１０５℃で２０分間乾熱し水分を揮発させた後、７０℃の水道水で６０秒間流水すすぎをした。その後、ドライヤーでパネルを乾燥させ、ステンレスパネル上に残留した残渣を目視評定し、以下の基準で評価した。尚、ステンレスパネル上に残留した残渣は、カルシウムやマグネシウムを主成分とする珪酸スケールとは異なり、二酸化珪素を主成分とする珪酸化合物である。
＜評価基準＞
◎：残渣が全く認められなかった。
○：残渣がほとんど認められなかった。
△：残渣の付着が認められた。
×：著しい残渣の付着が認められた。
とし、◎、○、△を実用性のあるものとして判定した。
【００３５】
金属腐食防止性試験：
＜試験方法＞
試験片［アルミニウム（Ａ５０５２Ｐ）］は、予め中性洗剤で洗浄しアセトン処理して乾燥させたもの使用する。塩化カルシウムを用いて炭酸カルシウム換算で、７５ｍｇ／Ｌ[ドイツ硬度４．２°ＤＨ］に調製した人工硬水で各液体洗浄剤組成物を５質量％に希釈して調製した希釈洗浄液６０ｍｌを７０ｍｌ容量の蓋付ガラス瓶に入れ、その中に試験片を浸漬し、２５℃の恒温器内で３０分間保存した。保存後の試験片を取り出し、イオン交換水にてすすぎ乾燥させて、試験片表面の状態を目視により外観観察し、下記基準で腐食性を判定した。
＜評価基準＞
◎：腐食がない
○：明らかな腐食はないが、やや光沢がなくなった
△：やや腐食がみられるが、使用上問題ないレベル
×：腐食した
とし、◎、○、△を実用性のあるものとして判定した。 
【００３６】
安定性試験（−５℃）：
＜試験方法＞
２５０ｍｌ透明ポリプロピレン製容器に濃縮液体洗浄剤組成物を２５０ｍｌとり、蓋をして−５℃の恒温槽中で静置保管した。１週間に１回揺り動かすことを繰り返し１ヶ月間行い、洗浄剤組成物の状態を以下の基準で評価した。
＜評価基準＞
◎：析出物や凍結が見られず安定である。
○：析出物や凍結が見られないが、透明度が低下している。
△：一部に析出物もしくは凍結が見られる。
×：全体的に析出物や凍結が見られる。
とし、◎、○、△を実用性のあるものとして判定した。
【００３７】
安定性試験（２５℃）：
＜試験方法＞
２５０ｍｌ透明ポリプロピレン製容器に濃縮液体洗浄剤組成物を２５０ｍｌとり、蓋をして２５℃の恒温槽中で静置保管した。１日後、濃縮液体洗浄剤組成物の状態を以下の基準で評価した。
＜評価基準＞
◎：析出物・分離・濁りが見られず安定である。
○：濁りが若干見られる。
△：析出物が若干見られる。
×：多量の析出物・明らかな濁り・分離が見られる。
とし、◎、○、△を実用性のあるものとして判定した。
【００３８】
抑泡性試験：
抑泡性は、以下の条件で試験し評価した。
＜試験条件＞
使用洗浄機：ＨＯＢＡＲＴ製自動食器洗浄機（ＡＭ−１４型）
洗浄液温度：６０℃
洗浄液：液体洗浄剤組成物を０．２重量％に希釈した希釈洗浄液
汚れ条件：複合汚れ（質量比で米でんぷん：卵黄：牛脂＝１：２：４で混合したもの）を５重量％濃度となるように洗浄液に添加し試験を行った。
使用水：硬度５°ＤＨの人工硬水（塩化カルシウムで調製）
＜抑泡性評価法＞
上記試験条件で洗浄機の洗浄工程を１０分間連続稼動させ洗浄機の蓋を開けた直後から１分後の泡立ちを以下の基準に基づいて目視評価した。
＜評価基準＞
◎：泡が少ない。
○：やや泡が立っている。
△：泡立っているが、実用上問題ない。 
×：非常に泡立っている。
とし、◎、○、△を実用性のあるものとして判定した。
【００３９】
スケール付着抑制性試験：
液体洗浄剤組成物に、７５ｍｇ／Ｌ[ドイツ硬度４．２°ＤＨ］の人工硬水を加えて０．２質量％に希釈した希釈洗浄液７５ｍＬを、１００ｍＬステンレス製ビーカーに加えた。さらに、このビーカーに、ステンレス板（ＳＵＳ３０４、厚さ×幅×長さ＝１．０×２５×７５ｍｍ）を入れて、ウォーターバスで加熱して溶液を蒸発させていき、液量が２０〜３０ｍＬになったところで、残液を捨て、ステンレスビーカーを、８０℃のイオン交換水１００ｍＬによりすすぎを行った。
その後、ステンレス板をビーカーから取り出し、この板に付着しているスケールの量を以下の基準に基づいて目視評価した。
＜評価基準＞
◎：スケールが全く付着していない。
○：スケールがほとんど付着していない。
△：スケールが少し付着している。
×：スケールが多量に付着している。
とし、◎、○、△を実用性のあるものとして判定した。
【００４０】
【表１】
0006734022.tif 000004
【００４１】
【表２】
0006734022.tif 000005